(57)【特許請求の範囲】
【請求項１】
本体ケース内に収納されたモータにより回転駆動される偏心軸と、前記本体ケースの外側に設けられると共に前記偏心軸に直交して設けられ前記偏心軸が回転可能に挿入された振動板とを備え、前記振動板を揺動してマッサージを施すマッサージ機において、
前記振動板に載せられた施療部材を備え、
前記振動板は、
前記施療部材側に突き出した中央凸部を有し、
前記施療部材は、
前記振動板との当接面が、前記振動板の上面に沿った形状に形成され、
前記中央凹部の周囲に形成されていることを特徴とするマッサージ機。
【請求項２】
前記中央凸部内に前記偏心軸による駆動点を配置したことを特徴とする請求項１に記載のマッサージ機。
【請求項３】
前記施療部材は四角枠状に形成されたことを特徴とする請求項２に記載のマッサージ機。
【請求項４】
前記偏心軸の一端と前記モータの駆動軸とを連結する連結軸を設けると共に、前記連結軸に筒状補強部材を装着したことを特徴とする請求項１ないし請求項３のいずれかに記載のマッサージ機。
【請求項５】
前記振動板と前記施療部材とにそれぞれ複数の突起を設けたことを特徴とする請求項１ないし請求項４のいずれかに記載のマッサージ機。
【発明の詳細な説明】
【技術分野】
【０００１】
本発明は、振動板を揺動してマッサージを施すマッサージ機に関するものである。
【背景技術】
【０００２】
従来より、揺動する振動板によりマッサージを施すマッサージ機としては種々のものが知られている。例えば、特許文献１にあるように、モータの駆動軸に偏心軸を連結して偏心軸を回転駆動し、偏心軸の先端を振動板に回転可能に連結して、振動板の揺動によりマッサージを施すようにしている。
【先行技術文献】
【特許文献】
【０００３】
【特許文献１】特開平３−７５０６１号公報
【発明の概要】
【発明が解決しようとする課題】
【０００４】
しかしながら、こうした従来のものでは、振動板に足裏を載せて、快適なマッサージを受けることができるが、他の患部、例えば、腿や背中を振動板に載せてマッサージを受けようとすると、安定せず、快適なマッサージを受けることができないという問題があった。
【０００５】
本発明の課題は、足裏に限らず他の患部でも快適なマッサージを受けることができるマッサージ機を提供することにある。
【課題を解決するための手段】
【０００６】
かかる課題を達成すべく、本発明は課題を解決するため次の手段を取った。即ち、
本体ケース内に収納されたモータにより回転駆動される偏心軸と、前記本体ケースの外側に設けられると共に前記偏心軸に直交して設けられ前記偏心軸が回転可能に挿入された振動板とを備え、前記振動板を揺動してマッサージを施すマッサージ機において、前記振動板に載せられた施療部材を備え、前記振動板は、前記施療部材側に突き出した中央凸部を有し、前記施療部材は、前記振動板との当接面が、前記振動板の上面に沿った形状に形成され、前記中央凹部の周囲に形成されていることを特徴とするマッサージ機がそれである。
【０００７】
中央凸部内に前記偏心軸による駆動点を配置した構成とするとよい。また、前記施療部材は四角枠状に形成された構成としてもよい。その際、四角枠状の前記施療部材の対向する２辺を弓なりに窪ませて湾曲形成し、前記中央凸部と湾曲形成した前記２辺の高さをほぼ同一とした構成とするとよい。
【０００８】
前記偏心軸の一端と前記モータの駆動軸とを連結する連結軸を設けると共に、前記連結軸に筒状補強部材を装着した構成としてもよい。また、前記振動板と前記施療部材とにそれぞれ複数の突起を設けた構成としてもよい。
【発明の効果】
【０００９】
本発明のマッサージ機は、振動板による足裏のマッサージに限らず、施療部材による腿や背中等の他の患部でも快適なマッサージを受けることができるという効果を奏する。
【図面の簡単な説明】
【００１０】
【図１】本発明の一実施形態としてのマッサージ機の正面図である。
【図２】本実施形態のマッサージ機の側面図である。
【図３】本実施形態のマッサージ機の底面図である。
【図４】本実施形態のマッサージ機の一部を断面で示す拡大側面図である。
【図５】本実施形態のマッサージ機の振動板と施療部材との図１のＡＡ線での断面図である。
【図６】本実施形態のマッサージ機の振動板と施療部材との図１のＢＢ線での断面図である。
【発明を実施するための形態】
【００１１】
以下本発明を実施するための形態を図面に基づいて詳細に説明する。図１〜図３に示すように、１は箱型状に形成された本体ケースで、２は合成樹脂等により形成された振動板で、振動板２は、本体ケース１の外側の上面側に配置され、矩形に形成されている。
【００１２】
図４に示すように、振動板２と本体ケース１とは、ゴム等を素材に用いて円柱状に形成された弾性支柱３（一部のみ図示する）により連結されている。弾性支柱３は、振動板２の各コーナー付近に本体ケース１から、４個立設されており、その両端が各々振動板２の裏面側と本体ケース１とに固着され、振動板２が略水平面内で揺動できるように構成されている。本体ケース１の下面には、複数の脚部材４が取り付けられると共に、本体ケース１の下面に揺動アーム５が揺動可能に取り付けられている。
【００１３】
複数の全ての脚部材４を床面等に当接させることにより、振動板２はほぼ水平面内で揺動する。また、揺動アーム５を引き出して、一部の脚部材４と揺動アーム５とを床面に当接させることにより、振動板２を斜めに配置することができ、振動板２に足裏を載せるのが容易になる。
【００１４】
また、本体ケース１にはモータ６が内蔵されており、モータ６は駆動軸７が本体ケース１に対して垂直に配置されている。モータ６の駆動軸７には同軸上に連結軸８が螺着されており、連結軸８の先端は振動板２側に延出されて、連結軸８の先端には偏心軸１０が螺着されている。尚、連結軸８と偏心軸１０とを別体で形成して螺着により連結する場合に限らず、連結軸８と偏心軸１０とを一体に形成してもよい。
【００１５】
偏心軸１０は、振動板２の中央凸部２ａの下面側に嵌着された軸受１２に嵌入されている。偏心軸１０は、モータ６の駆動軸７に所定量偏心して取り付けられており、また、偏心軸１０と振動板２とは、軸受１２を介して接続され、相対的に回転できるようにされている。
【００１６】
更に、偏心軸１０には、冷却ファン１４が取り付けられており、冷却ファン１４には、カウンタウエイト１６が固定されている。カウンタウエイト１６は、偏心軸１０の偏芯方向と１８０度反対側に設けられている。モータ６の軸受９と冷却ファン１４との間の連結軸８には筒状の補強部材１７が装着されている。
【００１７】
振動板２の上面には、半球状の多数の小突起１８や中突起２０が設けられると共に、振動板２の中央は、本体ケース１側と反対側に突き出すように高く形成された中央凸部２ａが設けられ、この振動板２の中央凸部２ａの下面側に前述した軸受１２が嵌着されている。中央凸部２ａの上面側には、複数の突起３ａや小突起３ｂが設けられている。尚、振動板２上には、他にも多数の突起が形成されている。
【００１８】
図１に示すように、振動板２の外周に沿って枠状の施療部材２２が、本体ケース１と反対側に振動板２から離して設けられている。枠状の施療部材２２の枠の内側に足を入れて振動板２の上に足裏を載せることができるように構成されている。
【００１９】
また、本実施形態では、施療部材２２は四角の枠状に形成されており、施療部材２２は対向する辺同士がほぼ対称形状に形成され、一方の対向する一対の辺である脚用施療部２４ａ，２４ｂは、図２、図４に示すように、ほぼ直線状に形成されている。この一対の脚用施療部２４ａ，２４ｂは、内部が中空に形成されており、内部にはヒータ２６が挿入配置されている。ヒータ２６は、一対の脚用施療部２４ａ，２４ｂの一方の内部にのみ配置してもよく、あるいは、一対の脚用施療部２４ａ，２４ｂの両方の内部に配置するようにしてもよい。両脚用施療部２４ａ，２４ｂには、振動板２の中央凸部２ａ側に複数の大小の突起２５ａ，２５ｂが形成されている。
【００２０】
一対の脚用施療部２４ａ，２４ｂは振動板２の中央凸部２ａよりも高い位置に設けられており、一対の脚用施療部２４ａ，２４ｂは、ほぼ中央に設けられた連結部２８ａ，２８ｂにより振動板２の中央凸部２ａに連結されている。連結部２８ａ，２８ｂの高さは、ほぼ中央凸部２ａの高さと同じに形成されており、連結部２８ａ，２８ｂは振動板２を上方に突出させて形成されている。
【００２１】
他方の一対の辺である背中用施療部３０ａ，３０ｂはその両端がそれぞれ一対の脚用施療部２４ａ，２４ｂの両端に接続されている。一対の背中用施療部３０ａ，３０ｂは、中央が振動板２側に弓状に湾曲して形成されており、一対の背中用施療部３０ａ，３０ｂの中央は振動板２の中央凸部２ａの高さとほぼ同じ高さに形成されている。一対の背中用施療部３０ａ，３０ｂの両側端にはそれぞれ突起３１ａ，３１ｂ，３１ｃ，３１ｄが形成されている。
【００２２】
一対の背中用施療部３０ａ，３０ｂは、図６に示すように、下方に開口して断面形状がほぼコ字状に形成されており、一対の背中用施療部３０ａ，３０ｂは、振動板２と連結部３２ａ，３２ｂにより連結され、連結部３２ａ，３２ｂの幅は振動板２の幅とほぼ同じに形成されている。
【００２３】
次に前述した本実施形態のマッサージ機の作動について説明する。
モータ６の駆動軸７を回転駆動して連結軸８を介して偏心軸１０を回転すると、軸受１２を介して、振動板２がモータ６の駆動軸７を中心にして、弾性支柱３に支えられながら揺動する。連結軸８に筒状の補強部材１７を装着したので、偏心軸１０をモータ６から離れた位置に設けても、駆動軸７の回転を偏心軸１０に確実に伝達できる。また、偏心軸１０と共に、冷却ファン１４も回転し、冷却ファン１４の回転により、モータ６が空冷され、カウンタウエイト１６が旋回し、振動板２の揺動方向の反動を打ち消す。
【００２４】
そして、例えば、足裏等の患部を振動板２に当ててマッサージを受けることができる。その際、小突起１８、中突起２０を患部に当て、それぞれの指圧効果を得ながら振動板２の揺動によるマッサージを受けることができる。
【００２５】
また、例えば、一対の脚用施療部２４ａ，２４ｂに架かるように、脚のふくらはぎや腿を当てて、振動板２と共に振動する施療部材２２によりふくらはぎや腿のマッサージを受けることができる。その際、ヒータ２６に通電することにより、ヒータ２６が内部に配置されている脚用施療部２４ａ，２４ｂの一方、あるいは、両方が暖められ、温熱効果を得ることができる。
【００２６】
更に、一対の背中用施療部３０ａ，３０ｂに架かるように、背中や腰を当てて、振動板２と共に振動する施療部材２２により背中や腰のマッサージを受けることができる。その際、振動板２の中央凸部２ａの突起３ａが背中や腰に当たり好適な刺激を加えると共に、突起２５ａ，２５ｂも背中や腰に当たり好適な刺激を加える。
【００２７】
このように、振動板２よりも高い位置に施療部材２２を設けたので、振動板２による足裏等のマッサージに限らず、施療部材２２の脚用施療部２４ａ，２４ｂによる腿等や背中用施療部３０ａ，３０ｂによる背中のマッサージを受けることができる。
【００２８】
施療部材２２を設けたことにより重心位置が高くなっても、振動板２の中央凸部２ａに偏心軸１０による駆動点を設けたので、重心位置の近くで振動板２を揺動駆動することができ、振動板２と施療部材２２とを適切に揺動させることができる。
【００２９】
振動板２上に連結部２８ａ，２８ｂを設けて、背中用施療部３０ａ，３０ｂの中央と中央凸部２ａと連結部２８ａ，２８ｂとの高さをほぼ同じにしたので、背中を背中用施療部３０ａ，３０ｂに架けた際の身体への密着性を向上させることができる。
【００３０】
以上本発明はこの様な実施形態に何等限定されるものではなく、本発明の要旨を逸脱しない範囲において種々なる態様で実施し得る。
【符号の説明】
【００３１】
１…本体ケース    ２…振動板
２ａ…中央凸部    ３…弾性支柱
４…脚部材        ６…モータ
７…駆動軸        ８…連結軸
９，１２…軸受    １０…偏心軸
１４…冷却ファン  １６…カウンタウエイト
２２…施療部材    ２４ａ，２４ｂ…脚用施療部
２６…ヒータ      ２８ａ，２８ｂ…連結部
３０ａ，３０ｂ…背中用施療部
【図１】
0005822572.tif 000002
【図２】
0005822572.tif 000003
【図３】
0005822572.tif 000004
【図４】
0005822572.tif 000005
【図５】
0005822572.tif 000006
【図６】
0005822572.tif 000007